(57)【特許請求の範囲】
【請求項１】
複数の第１の電極と複数の第２の電極とが互いに並行に配置されるとともに、複数の第３の電極が上記第１及び第２の電極と交差するように配置された表示部と、
使用条件に応じて、上記表示部の各電極に印加する駆動パルスを変更する駆動制御部と、
上記駆動制御部からの指示に基づいて、上記表示部の各電極に駆動パルスを印加する駆動部とを備え、
上記駆動制御部は、上記表示部の温度に対応するデータに応じて、リセット期間とアドレス期間と維持放電期間とをこの順序で有する１つのサブフィールドでの維持放電期間の終了後に、上記リセット期間に印加する駆動パルスと同じ波形の駆動パルスを印加する追加リセット期間を新たに設けて上記第２の電極に印加する駆動パルスを追加する、或いは上記追加リセット期間を追加しない、の何れかを行うように上記駆動部を制御することを特徴とするプラズマディスプレイ。
【請求項２】
複数の第１の電極と複数の第２の電極とが互いに並行に配置されるとともに、複数の第３の電極が上記第１及び第２の電極と交差するように配置された表示部を有するプラズマディスプレイの駆動方法であって、
上記プラズマディスプレイの使用条件に応じて、上記表示部の各電極に印加する駆動パルスを変更する駆動パルス変更ステップと、
上記駆動パルス変更ステップでの結果に基づいて、上記表示部の各電極に駆動パルスを印加する駆動ステップとを有し、
上記駆動パルス変更ステップにて、上記表示部の温度に対応するデータに応じて、リセット期間とアドレス期間と維持放電期間とをこの順序で有する１つのサブフィールドでの維持放電期間の終了後に、上記リセット期間に印加する駆動パルスと同じ波形の駆動パルスを印加する新たな追加リセット期間を追加する、或いは追加しないの何れかを行い、上記第２の電極に印加する駆動パルスを変更することを特徴とするプラズマディスプレイの駆動方法。
【発明の詳細な説明】
【技術分野】
【０００１】
本発明は、プラズマディスプレイ及びその駆動方法に関する。
【背景技術】
【０００２】
プラズマディスプレイは、２次元マトリクス状に配置された複数のセルからなる表示パネルを有し、各セル内での放電により蛍光体を励起して発光させる。表示パネルの各セルは表示画像の１画素に対応しており、プラズマディスプレイは２次元画像を表示することができる。
【０００３】
しかしながら、プラズマディスプレイは放電現象を利用して画像を表示する表示装置であるので、放電等による蛍光体の劣化やセル内の保護膜（例えば、酸化マグネシウム：ＭｇＯが用いられる。）の消耗などが生じる。そのため、プラズマディスプレイは、使用時間（駆動時間）の増加にともなって、表示パネルの物性（放電特性等）が変化する。また、表示パネルにおける放電特性は、パネル温度、実使用環境温度などの実際に使用する際の温度の影響も受ける。表示パネルの物性の変化は、動作電圧マージン等の変化を招き、プラズマディスプレイにおいて誤表示を生じさせる原因の１つである。
【０００４】
このような表示パネルの物性変化に対処する方法として、プラズマディスプレイの使用時間に応じて、その駆動方法を制御する方法が提案されている。例えば、プラズマディスプレイの使用時間に応じて、表示パネルの最適駆動電圧を予測し駆動する方法（例えば、特許文献１参照。）や、表示パネルの駆動電圧値及びその印加タイミングを変化させ制御する方法（例えば、特許文献２参照。）が提案されている。
【０００５】
【特許文献１】特開平９−１３８６６８号公報
【特許文献２】特開２００３−１５５９０号公報
【発明の開示】
【発明が解決しようとする課題】
【０００６】
しかしながら、上述した従来の方法は、表示パネルの物性変化に応じて、単に表示パネルに印加する電圧値やその印加タイミングを補償するに留まり、誤表示の原因を除去する方法としては充分ではなかった。
本発明は、このような事情に鑑みてなされたものであり、プラズマディスプレイにおける表示パネルの物性変化に応じて、より適切に表示パネルの駆動方法を制御し表示不具合を回避できるようにすることを目的とする。
【課題を解決するための手段】
【０００７】
本発明のプラズマディスプレイは、複数の第１の電極と複数の第２の電極とが互いに並行に配置されるとともに、複数の第３の電極が上記第１及び第２の電極と交差するように配置された表示部と、使用条件に応じて、上記表示部の各電極に印加する駆動パルスを変更する駆動制御部と、上記駆動制御部からの指示に基づいて、上記表示部の各電極に駆動パルスを印加する駆動部とを備え、上記駆動制御部は、上記表示部の温度に対応するデータに応じて、リセット期間とアドレス期間と維持放電期間とをこの順序で有する１つのサブフィールドでの維持放電期間の終了後に、上記リセット期間に印加する駆動パルスと同じ波形の駆動パルスを印加する追加リセット期間を新たに設けて上記第２の電極に印加する駆動パルスを追加する、或いは上記追加リセット期間を追加しない、の何れかを行うように上記駆動部を制御することを特徴とする。
【発明の効果】
【０００８】
本発明によれば、プラズマディスプレイの使用条件に応じて、より適切な駆動パルスに変更して各電極に印加することにより、表示パネルの物性変化に応じた、より適切な駆動を実現でき、誤表示を含む表示不具合を回避することができる。
【発明を実施するための最良の形態】
【０００９】
以下、本発明の実施形態を図面に基づいて説明する。
なお、以下では、本発明を交流駆動型プラズマディスプレイに適用した場合を一例として示し、本発明の実施形態を説明する。
【００１０】
図１は、本発明の実施形態によるプラズマディスプレイの構成例を示す図である。
図１に示すように、本実施形態におけるプラズマディスプレイは、互いに平行な走査電極（表示電極）Ｙ１〜Ｙｎ及び表示電極Ｘ１〜Ｘｎが設けられるとともに、これらの電極Ｙ１〜Ｙｎ、Ｘ１〜Ｘｎと直交する方向に（交差するように）アドレス電極Ａ１〜Ａｊが設けられている。表示電極Ｘ１〜Ｘｎは、各走査電極Ｙ１〜Ｙｎに対応してこれに接近して設けられている。
【００１１】
表示パネル１は、ｍ行ｎ列のマトリクス状に配置された複数のセルを備える。各セルＣｉｊは、走査電極Ｙｉ及びアドレス電極Ａｊの交点並びにそれに対応して隣接する表示電極Ｘｉにより形成される。このセルＣｉｊが表示画像の１画素に対応し、表示パネル１は２次元画像を表示することができる。
【００１２】
また、表示パネル１は、表示領域２と、その周囲に設けられた非表示領域（以下、「ダミー表示領域」とも称す。）３とを有する。表示領域２は、入力データＤに基づく表示画像を表示する領域であり、この領域２内のセルについては、入力データＤに応じて各電極Ｘ、Ｙ、Ａが駆動される。一方、ダミー表示領域３は、入力データＤにかかわらず常に黒とする領域であり、この領域３内のセルについては、常に黒画像表示に対応した駆動が各電極Ｘ、Ｙ、Ａになされる。
【００１３】
表示電極Ｘ１〜Ｘｎは、ドライバ制御部１０の制御に応じて、表示電極Ｘ１〜Ｘｎに所定の電圧（駆動パルス）を供給するＸ側共通ドライバ４の出力端に接続されている。また、走査電極Ｙ１〜Ｙｎは、ドライバ制御部１０及びＹ側共通ドライバ６の制御に応じて、走査電極Ｙ１〜Ｙｎに所定の電圧（駆動パルス）を供給するＹ側スキャンドライバ５の出力端に接続されている。アドレス電極Ａ１〜Ａｊは、表示データ制御部１１及びドライバ制御部１０の制御に応じて、アドレス電極Ａ１〜Ａｊに所定の電圧（駆動パルス）を印加するアドレスドライバ７の出力端に接続されている。
【００１４】
Ｘ側共通ドライバ４は放電を繰り返す回路からなり、アドレスドライバ６は表示すべき列を選択する回路からなる。また、Ｙ側スキャンドライバ５及びＹ側共通ドライバによりＹ側回路を構成し、Ｙ側回路は線順次走査する回路と放電を繰り返す回路とからなる。Ｙ側回路内の線順次走査する回路とアドレスドライバ４によりどこのセルを点灯させるかを決め、Ｘ側共通ドライバ４とＹ側回路内の放電を繰り返す回路により放電を繰り返すことによって、プラズマディスプレイの表示動作を行う。
【００１５】
ロジック部８は、輝度／電力制御部９、ドライバ制御部１０、表示データ制御部１１、及び検出部１２を有する。ロジック部８は、外部からの入力データＤ、入力データＤの読み込みタイミングを示すドットクロックＣＬＫ、水平同期信号ＨＳ、及び垂直同期信号ＶＳに基づいて制御信号を生成し、それをＸ側共通ドライバ４、Ｙ側スキャンドライバ５、Ｙ側共通ドライバ６、及びアドレスドライバ７に供給する。
【００１６】
具体的にはロジック部８において、ドライバ制御部１０が、輝度／電力制御部９及び表示データ制御部１１からの信号に基づいて制御信号を生成し出力する。このとき、ドライバ制御部１０は、ドライバ４〜７から各電極Ｘ、Ｙ、Ａにそれぞれ印加する駆動パルスを、検出部１２から供給される各データに応じて適宜変更するようにして制御信号を生成する。
【００１７】
ここで、検出部１２からドライバ制御部１０に供給されるデータには、プラズマディスプレイの使用時間、使用温度、及び表示パネル１の各電極に駆動パルスを印加する際の電流値を示すデータがある。すなわち、検出部１２は、上述した使用時間、使用温度、及び電流値を検出し、検出結果に基づくデータをドライバ制御部１０に供給する。
【００１８】
より詳細には、使用時間を示すデータには、プラズマディスプレイに対して電源が供給された累積時間（電源供給時間）及び表示パネル１にて画像を実際に表示した累積時間（実表示時間）をそれぞれ示すデータがある。また、使用温度を示すデータには、プラズマディスプレイの実使用環境温度及び表示パネル１のパネル温度をそれぞれ示すデータがある。また、電流値を示すデータには、表示パネル１内の表示領域２についての電流値及びダミー表示領域３についての電流値を示すデータがある。なお、本実施形態においては、上述したデータのすべてを適用しなくても良く、上述した複数のデータの中から任意に選択して適用するようにしても良い。
【００１９】
図２は、図１に示したドライバ制御部１０の構成例を示す図である。
図２において、ドライバ制御部１０は、ＲＯＭ２１及び処理部（ＭＰＵ）２２を有する。
【００２０】
ＲＯＭ２１は、検出部１２から供給される各データに応じて変更する駆動パルスの変更パターンとして、複数種類の駆動パルスＡ−１、Ｂ−１、Ｃ−１、Ａ−２、Ｂ−２、Ｃ−２．…を記憶している。なお、ＲＯＭ２１には、後述するフィールド又はサブフィールドを１つの単位として複数種類の駆動パルスを記憶するようにしても良いし、サブフィールド内にて印加する駆動パルス毎に記憶するようにしても良い。
【００２１】
処理部２２は、検出部１２から供給される各データに応じて、駆動パルスの変更を指示する波形変更指示部２３を有する。処理部２２は、検出部１２から供給される各データを波形変更指示部２３により解析し、その解析結果に基づいてＲＯＭ２１に記憶されている複数種類の駆動パルスの中から駆動パルスを選択する。さらに、処理部２２は、選択した駆動パルスに対応する制御信号を生成してドライバ４〜７に出力する。
【００２２】
図３（Ａ）は、１画素である第ｉ行第ｊ列のセルＣｉｊの断面構成を示す図である。図３（Ａ）において、表示電極Ｘｉ及び走査電極Ｙｉは、前面ガラス基板３１上に形成されている。その上には、放電空間３７に対し絶縁するための誘電体層３２が被着されるとともに、更にその上にＭｇＯ（酸化マグネシウム）保護膜３３が被着されている。
【００２３】
一方、アドレス電極Ａｊは、前面ガラス基板３１と対向して配置された背面ガラス基板３４上に形成され、その上には誘電体層３５が被着され、更にその上に蛍光体３８が被着されている。ＭｇＯ保護膜３３と誘電体層３５との間の放電空間３７には、Ｎｅ＋Ｘｅペニングガス等が封入されている。
【００２４】
図３（Ｂ）は、プラズマディスプレイの容量Ｃｐについて説明するための図である、図３（Ｂ）に示すように、プラズマディスプレイの各セルには、放電空間３７、表示電極Ｘｉと走査電極Ｙｉの間、及び前面ガラス基板３１にそれぞれ容量成分Ｃａ、Ｃｂ、Ｃｃが存在し、これらの合計によってセル１つ当たりの容量Ｃｐcellが決まる（Ｃｐcell＝Ｃａ＋Ｃｂ＋Ｃｃ）。すべてのセルの容量Ｃｐcellの合計がパネル容量Ｃｐである。
【００２５】
図３（Ｃ）は、プラズマディスプレイの発光について説明するための図である。図３（Ｃ）に示すように、リブ３６の内面には、赤、青、緑色の蛍光体３８がストライプ状に各色毎に配列、塗布されており、表示電極Ｘｉ及び走査電極Ｙｉの間の放電によって蛍光体３８を励起して発光するようになっている。
【００２６】
図４は、図１に示したプラズマディスプレイの駆動回路の構成を示す図である。図４に示す駆動回路は、図１におけるＸ側共通ドライバ４、Ｙ側スキャンドライバ５、及びＹ側共通ドライバ６に対応するものである。
【００２７】
図４において、容量負荷（以下、「負荷」と称す。）４０は、上述した複数の表示電極Ｘ１〜Ｘｎの中の任意の１つの表示電極Ｘと、複数の走査電極Ｙ１〜Ｙｎの中の任意の１つの走査電極Ｙとの間に形成されているセルの合計の容量である。負荷４０には、共通電極Ｘと走査電極Ｙが形成されている。
【００２８】
走査電極Ｙを駆動するためのＹ側回路は、１つのコンデンサＣＹ１と５つのスイッチＳＷＹ１〜ＳＷＹ５を備える。
スイッチＳＷＹ１、ＳＷＹ２は、電源から供給される電圧Ｖｓの電源ライン（電源線）と基準電位としてのグランド（ＧＮＤ）との間に直列に接続される。２つのスイッチＳＷＹ１、ＳＷＹ２の相互接続点にはコンデンサＣＹ１の一方の端子が接続され、コンデンサＣＹ１の他方の端子とグランドとの間にはスイッチＳＷＹ３が接続される。なお、コンデンサＣＹ１の一方の端子に接続される信号ラインを第１の信号ラインＯＵＴＡＹとし、他方の端子に接続される信号ラインを第２の信号ラインＯＵＴＢＹとする。
【００２９】
スイッチＳＷＹ４、ＳＷＹ５は、電源回路２２のコンデンサＣＹ１の両端に直列に接続される。すなわち、スイッチＳＷＹ４、ＳＷＹ５は、第１及び第２の信号ラインＯＵＴＡＹ、ＯＵＴＢＹ間に直列接続される。２つのスイッチＳＷＹ４、ＳＷＹ５の相互接続点は、出力ラインＯＵＴＣＹを介して負荷４０の走査電極Ｙに接続される。
【００３０】
また、共通電極Ｘを駆動するためのＸ側回路は、上述したＹ側回路と同様に構成されるので説明は省略する。
【００３１】
図４に示した駆動回路のＹ側において、スイッチＳＷＹ１、ＳＷＹ３、及びＳＷＹ４をオンにし、スイッチＳＷＹ２、ＳＷＹ５をオフにすることで、コンデンサＣＹ１にスイッチＳＷＹ１、ＳＷＹ３により与えられる電圧Ｖｓに応じた電荷が蓄積されるとともに、第１の信号ラインＯＵＴＡＹの電圧Ｖｓが出力ラインＯＵＴＣＹを介して負荷４０に印加される。
【００３２】
また、コンデンサＣＹ１に電圧Ｖｓに応じた電荷が蓄積された状態で、スイッチＳＷＹ２、ＳＷＹ５をオンにし、スイッチＳＷＹ１、ＳＷＹ３、ＳＷＹ４をオフにすることで、第２の信号ラインＯＵＴＢＹの電圧が（−Ｖｓ）となり、その電圧（−Ｖｓ）が出力ラインＯＵＴＣＹを介して負荷４０に印加される。
【００３３】
このようにして、負荷４０の走査電極Ｙに対して正の電圧Ｖｓと負の電圧（−Ｖｓ）とを交互に印加する。同様に、負荷４０の共通電極Ｘに対しても、同様のスイッチング制御を行うことにより、正の電圧Ｖｓと負の電圧（−Ｖｓ）とを交互に印加する。このとき、走査電極Ｙ及び共通電極Ｘに印加する電圧（±Ｖｓ）は、互いに位相が逆の関係となるようにする。すなわち、走査電極Ｙに正の電圧Ｖｓが印加されている場合には、共通電極Ｘに負の電圧（−Ｖｓ）を印加するようにする。これにより、走査電極Ｙと共通電極Ｘとの間に放電を行うことが可能な電位差を生じさせることができる。
【００３４】
図５は、画像の１フレームＦＲの構成図である。画像は、例えば６０フレーム／秒で形成される。１フレームＦＲは、第１のサブフレームＳＦ１、第２のサブフレームＳＦ２、…、第ｎのサブフレームＳＦｎにより形成される。このｎは、例えば１０であり、階調ビット数に相当する。サブフレームＳＦ１、ＳＦ２等の各々を又はそれらの総称を、以下、「サブフレームＳＦ」と称す。
【００３５】
各サブフレームＳＦは、リセット期間Ｔｒ、アドレス期間Ｔａ、及びサステイン期間（維持放電期間）Ｔｓを有する。リセット期間Ｔｒでは、表示セルの初期化を行う。アドレス期間Ｔａでは、アドレス指定により各表示セルの点灯又は非点灯を選択することができる。選択されたセルはサステイン期間Ｔｓで発光を行う。各サブフィールドＳＦにおいて発光回数（時間）が異なる。これにより、階調値を決めることができる。
【００３６】
図６は、図１に示したプラズマディスプレイの基本動作を示す波形図である。図６は、１つのサブフィールド分において、共通電極Ｘ、走査電極Ｙ、アドレス電極Ａに対して印加する駆動パルス（電圧）の波形例を示している。１つのサブフィールドは、上述したように全面書き込み期間及び全面消去期間からなるリセット期間と、アドレス期間と、維持放電期間とに区分される。
【００３７】
リセット期間においては、まず、共通電極Ｘに印加する電圧が基準電位としてのグランドレベルから（−Ｖｓ）に引き下げられる。一方、走査電極Ｙに印加される電圧が時間経過とともに徐々に上昇して、最終的に書き込み電圧Ｖｗが走査電極Ｙに印加される。
このようにして、共通電極Ｘと走査電極Ｙにリセットパルスが印加されて電極間の電位差が（Ｖｓ＋Ｖｗ）となり、以前の表示状態にかかわらず、全表示ラインの全セルで放電が行われ、壁電荷が形成される（全面書き込み）。
【００３８】
次に、共通電極Ｘ及び走査電極Ｙの電圧をグランドレベルに戻した後、共通電極Ｘに対する電圧がグランドレベルからＶｓまで引き上げるとともに、走査電極Ｙに対する印加電圧が（−Ｖｓ）に引き下げられる。これにより、全セルにおいて壁電荷自身の電圧が放電開始電圧を越えて放電が開始され、蓄積されていた壁電荷が消去される（全面消去）。
【００３９】
次に、アドレス期間においては、入力データに応じて各セルのオン／オフを行うために、線順次でアドレス放電が行われる。このとき、共通電極Ｘには、電圧Ｖｓが印加される。また、ある表示ラインに相当する走査電極Ｙに電圧を印加するときには、線順次により選択された走査電極Ｙには（−Ｖｓ）レベルのスキャンパルス、非選択の走査電極Ｙにはグランドレベルの電圧が印加される。
【００４０】
このとき、各アドレス電極Ａ１〜Ａｍ中の維持放電を起こすセル、すなわち点灯させるセルに対応するアドレス電極Ａｊには、電圧Ｖａのアドレスパルスが選択的に印加される。この結果、点灯させるセルのアドレス電極Ａｊと線順次で選択された走査電極Ｙとの間で放電が起こり、これをプライミング（種火）として共通電極Ｘ及び走査電極Ｙの上のＭｇＯ保護膜面に、次の維持放電が可能な量の壁電荷が蓄積される。
【００４１】
その後、維持放電期間になると、各表示ラインの共通電極Ｘと走査電極Ｙとに互いに極性の異なる電圧（＋Ｖｓ、−Ｖｓ）を交互に印加して維持放電を行い、１サブフィールドの映像を表示する。なお、互いに極性の異なる電圧を交互に印加する動作は、サステイン動作と呼ばれ、サステイン動作中の電圧（＋Ｖｓ、−Ｖｓ）のパルスはサステインパルスと呼ばれる。
【００４２】
なお、維持放電期間において、走査電極Ｙに対して最初に高電圧を印加する時のみ電圧（Ｖｓ＋Ｖｘ）を印加する。この電圧Ｖｘは、アドレス期間に発生した壁電荷の電圧に加えることで維持放電に必要な電圧を生成する上乗せ分の電圧である。
【００４３】
上述したように、本実施形態では、ロジック部８内のドライバ制御部１０は、検出部１２から供給される各データに応じて、ドライバ４〜７から各電極Ｘ、Ｙ、Ａにそれぞれ印加する駆動パルスを適宜変更するようにする。ここで、駆動パルスの変更は、プラズマディスプレイの観察者に違和感を抱かせない非連続動作時、例えば、プラズマディスプレイの起動時や、プラズマディスプレイに電源は供給されているが表示は行っていない遮断時、あるいは入力信号の切り替え時等に行うことが望ましい。
【００４４】
上記駆動パルスの変更には、
（１）駆動パルスの追加
（２）駆動パルスの削除
（３）駆動パルスのパルス形状の変更
（４）駆動パルスのパルス幅及び位相の変更
（５）駆動パルスの傾き変更（傾斜波）
（６）駆動パルスの電圧値の変更
がある。
【００４５】
以下、それぞれについて波形図を示し説明する。
（１）駆動パルスの追加
図７は、駆動パルスを追加した場合の波形図の一例を示す図である。
図７に示す波形図は、図６に示した波形図における維持放電期間において、表示電極Ｘに電圧（−Ｖｓ）のサステインパルス、走査電極Ｙに電圧（Ｖｓ＋Ｖｘ）のサステインパルスを印加する際に、アドレス電極Ａに電圧Ｖａｘの駆動パルスを印加するように駆動パルスを追加したものである。
【００４６】
上述したように、走査電極Ｙに対して最初に高電圧を印加する時には、アドレス期間に発生した壁電荷の電圧に加えることで維持放電に必要な電圧を生成するために電圧Ｖｘを上乗せする。しかしながら、走査電極Ｙの電圧が（Ｖｓ＋Ｖｘ）となるため、アドレス電極Ａと走査電極Ｙとの電位差が大きくなり、アドレス電極Ａと走査電極Ｙとの間で誤放電を起こすおそれがある。
【００４７】
そこで、図７に示すように、走査電極Ｙに電圧（Ｖｓ＋Ｖｘ）を印加するとき、アドレス電極Ａに電圧Ｖａｘ（例えば、上乗せ分に対応するＶｘ）を印加するように駆動パルスを追加することにより、アドレス電極Ａと走査電極Ｙとの電位差を小さくして誤放電が発生することを抑止する。これにより、プラズマディスプレイの表示パネル１における余剰点灯を防止することができ、良好な画像を表示することができる。
【００４８】
図８は、駆動パルスを追加した場合の波形図の他の例を示す図である。
図８に示す波形図は、図６に示した波形図において、維持放電期間終了後にリセット期間と同様の駆動パルスを印加する追加リセット期間を設けたものである。すなわち、この追加リセット期間を設けた場合には、１つのサブフィールドにおいて連続した２つのリセット期間を有する。このように駆動パルスを追加して、維持放電期間終了後に追加リセット期間を設けることにより、表示セルの初期化を確実に行うことができ、その後の維持放電期間における余剰点灯や不点灯を防止して、良好な画像を表示することができる。
なお、図８においては、１つの追加リセット期間を設けた場合を一例として示しているが、追加リセット期間の数は任意である。
【００４９】
（２）駆動パルスの削除
図９は、駆動パルスを削除した場合の波形図の一例を示す図である。
図９に示す波形図は、図６に示した波形図における維持放電期間において、走査電極Ｙに対して最初に印加する高電圧（Ｖｓ＋Ｖｘ）のサステインパルスを削除したものである。
上述したようにサブフィールドＳＦ毎に発光回数は異なるが、表示パネル１の物性変化によっては、規定された発光回数分の発光により得られる輝度が低くなったり高くなったりする場合がある。そこで、例えば、規定された発光回数分の発光で得られる輝度が高くなってしまう場合には、図９に示すようにしてサステインパルスを適宜削除することにより放電回数、すなわち発光回数を適切な輝度が得られるように減少させ、良好な画像を表示できるようにする。
【００５０】
（３）駆動パルスのパルス形状の変更
図１０は、駆動パルスのパルス形状を変更した場合の波形図の一例を示す図である。
図１０において、破線で示した波形は駆動パルスのパルス形状変更前の波形であり、実線で示した波形はパルス形状変更後の波形である。
このように、例えば、駆動パルスの波形を、方形波から時間経過とともに徐々に変化する傾斜波に変更することで、放電の発生確率を低下させたり、方形波に比べて弱い放電を発生させたりすることができる。これにより、プラズマディスプレイの表示パネル１における余剰点灯等を防止することができる。
【００５１】
（４）駆動パルスのパルス幅及び位相の変更
図１１（Ａ）は、駆動パルスのパルス幅及び位相を変更した場合の波形図の一例を示す図である。図１１（Ａ）において、破線は変更前の駆動パルスを示し、実線は変更後の駆動パルスを示している。
一般に、プラズマディスプレイの表示パネル１においては、使用時間が増加するにつれて、電極間での放電が発生しにくくなる。そこで、図１１（Ｂ）に示した関係に従って、図１１（Ａ）に示したように駆動パルスのパルス幅及び位相調整を行うことにより、電極間における放電の発生確率を調整することができる。例えば、駆動パルスのパルス幅を長くすることで、電極間における放電の発生確率をあげることができ、パルス幅を短くすることで、電極間における放電の発生確率を下げることができる。なお、図１１（Ｂ）において、横軸は使用時間であり、縦軸はパルス幅を示している。また、図中において、ハッチングを施した領域が理想的なパルス幅領域であるとし、その領域内に示した段階状の実線が実際に変更するパルス幅を示している。
【００５２】
（５）駆動パルスの傾き変更（傾斜波）
図１２（Ａ）は、駆動パルスの傾きを変更した場合の波形図の一例を示す図である。図１２（Ａ）において、破線は変更前の駆動パルスを示し、実線は変更後の駆動パルスを示している。
このように、図１２（Ｂ）に示した関係に従って、図１２（Ａ）に示したように駆動パルスの傾きを変更することで、例えば、リセット期間にて行う微弱放電の強度を調整することができる。なお、図１２（Ｂ）において、横軸は使用時間であり、縦軸は傾きを示している。また、図中において、ハッチングを施した領域が理想的な特性を示す傾き領域であるとし、その領域内に示した段階状の実線が実際に変更する傾きを示している。
なお、上述した図１１（Ｂ）、図１２（Ｂ）においては、実際に変更するパルス幅及び傾きは、使用時間に応じて段階的に（離散的に）変化させるようにしているが、使用時間に対して連続的に（例えば線形的に）変化させるようにしても良い。
【００５３】
（６）駆動パルスの電圧値の変更
図１３は、駆動パルスの電圧値を変更した場合の波形図の一例を示す図である。図１３において、破線は変更前の駆動パルスを示し、実線は変更後の駆動パルスを示している。
図１３に一例を示したように、駆動パルスの電圧値を変化させることにより、表示パネル１の物性変化により動作電圧マージンが変化しても、表示セル内での放電を確実に行うことができ、良好な画像を表示することができる。
【００５４】
図１４は、本実施形態におけるプラズマディスプレイでの駆動パルスの変更動作の一例を示すフローチャートである。なお、図１４においては、検出部１２から供給される使用時間（駆動時間）及びダミー表示領域３内のセルに対して駆動パルスを印加する際の電流値を示すデータに基づく駆動パルスの変更動作を示しており、図１に示したドライブ制御部１０にて実行される。
【００５５】
まず、プラズマディスプレイに電源が投入されると、ステップＳ１にてドライブ制御部１０は、ＲＯＭ２１に記憶されている駆動波形１を選択する。
そして、ステップＳ２にて、ドライブ制御部１０は、駆動時間がｘ１（時間）以下又は電流値がｙ１（Ａ）以下であるかを判断し、どちらか一方の条件を満たした場合には、ステップＳ３にて、ＲＯＭ２１に記憶されている駆動波形２を選択する。
【００５６】
同様にして、ステップＳ４にて、ドライブ制御部１０は、駆動時間がｘ２（時間）以下又は電流値がｙ２（Ａ）以下であるかを判断し、どちらか一方の条件を満たした場合には、ステップＳ５にて、ＲＯＭ２１に記憶されている駆動波形３を選択する。
以下、同様にしてドライブ制御部１０は、駆動時間及び電流値について判断を行い、その判断結果に応じてＲＯＭ２１に記憶されている駆動波形を選択する。
そして、ドライブ制御部１０は、選択した駆動波形に基づいて制御信号を生成し、ドライブ回路４〜７に供給する。
【００５７】
図１５は、本実施形態におけるプラズマディスプレイでの駆動パルスの変更動作の他の例を示すフローチャートである。なお、図１５においては、検出部１２から供給される表示パネル１のパネル温度を示すデータに基づく駆動パルスの変更動作を示しており、図１に示したドライブ制御部１０にて実行される。
【００５８】
まず、プラズマディスプレイに電源が投入されると、ステップＳ１にてドライブ制御部１０は、ＲＯＭ２１に記憶されている駆動波形１を選択する。
そして、ステップＳ２にて、ドライブ制御部１０は、パネル温度Ｔｐがどの温度範囲に属するか否かを判断する。
【００５９】
上記判断の結果、ドライブ制御部１０は、パネル温度Ｔｐが温度Ｔａ以下の場合にはＲＯＭ２１に記憶されている駆動波形１を選択し（ステップＳ１３）、パネル温度Ｔｐが温度Ｔａより高く温度Ｔｂ以下の場合にはＲＯＭ２１に記憶されている駆動波形２を選択する（ステップＳ１４）。同様に、パネル温度Ｔｐが温度Ｔｂより高く温度Ｔｃ以下の場合にはＲＯＭ２１に記憶されている駆動波形３を選択し（ステップＳ１５）、パネル温度Ｔｐが温度Ｔｃより高い場合にはＲＯＭ２１に記憶されている駆動波形４を選択する（ステップＳ１６）。
【００６０】
そして、ドライブ制御部１０は、選択した駆動波形に基づいて制御信号を生成し、ドライブ回路４〜７に供給するとともに、ステップＳ１２に戻り、再びパネル温度Ｔｐがどの温度範囲に属するか否かを判断する。
以降、上述した動作を随時繰り返し行い、パネル温度Ｔｐに応じた駆動波形の選択を行う。
【００６１】
なお、上述した説明では、駆動時間（使用時間）及び電流値に基づく場合（図１４参照）と、パネル温度に基づく場合（図１５参照）とをそれぞれ分けて説明したが、これらを組み合わせて駆動パルスの変更動作を行うようにしても良い。また、上記図１４においては、ダミー表示領域３についての電流値を用いているために、電流値に関する判断条件はある値以下であるか否かを判断するようにしているが、表示領域２についての電流値を用いた場合には電流値に関する判断条件はある値以上であるか否かを判断するようにすれば良い。
【００６２】
以上、説明したように本実施形態によれば、検出部１２により使用条件に係る情報を検出し、その検出結果である使用条件に応じて、ドライブ制御部１０が駆動パルスを変更し、適切な駆動パルスが表示パネル１内の各電極に印加されるようにすることにより、表示パネル１の物性変化に応じて、誤表示の原因となる壁電荷調整を良好に行うことができ、より適切な駆動を実現することができる。したがって、例えば、表示パネル１内の点灯させるべきセルにて確実に放電させ、さらに点灯させるべきでないセルにて放電することを確実に防止して、プラズマディスプレイにおける誤表示を防止することができ表示不具合を回避することができる。
【００６３】
以下に、プラズマディスプレイのリセット期間、アドレス期間、及びサステイン期間にて、上述した種々の駆動パルスの変更処理を行った場合に得られる効果について示す。
（リセット期間）
・傾斜波（鈍波）の傾きを変更することにより、微弱放電強度を調整したり、その後の誤アドレッシングを防止することができる。
・傾斜波（鈍波）の時間を変更することにより、壁電荷量を調整することができる。
・リセット回数の変更（例えば、上述した追加リセット期間）や上下左右の隣接ライン（電極）においてリセットパルスの追加、削除、及び位相調整を行うことにより、壁電荷の安定した調整を行うことができる。
（アドレス期間）
・スキャンパルス及びアドレスパルスの少なくとも一方のパルス幅を変更することにより、誤アドレッシングを防止することができる。
・スキャンパルスとアドレスパルスとの位相調整を行うことで誤アドレッシングを防止することができる。
・上下左右の隣接ライン（電極）においてアドレスパルスの追加、削除、及び位相調整を行うことにより、壁電荷の安定した調整を行うことができる。
（維持放電期間）
・サステインパルスのパルス幅を変更することにより誤放電及び不点灯を防止することができる。
・サステインパルスの傾き及び位相を調整することで、維持放電を調整することができる。
・サステインパルスの追加、削除を行うことで、壁電荷の安定した調整を行うことができる。
（その他）
・維持放電期間前又は維持放電期間後に駆動パルスの追加、削除を行うことにより、余剰点灯や不点灯の抑制を行うことができる。
・維持放電期間前又は維持放電期間後に上下左右の隣接ライン（電極）において駆動パルスの追加、削除、及び位相調整を行うことにより、壁電荷の安定した調整を行うことができる。
【００６４】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
本発明の諸態様を付記として以下に示す。
【００６５】
（付記１）複数の第１の電極と複数の第２の電極とが互いに並行に配置されるとともに、複数の第３の電極が上記第１及び第２の電極と交差するように配置された表示部と、
使用条件に応じて、上記表示部の各電極に印加する駆動パルスを変更する駆動制御部と、
上記駆動制御部からの指示に基づいて、上記表示部の各電極に駆動パルスを印加する駆動部とを備え、
上記駆動制御部は、上記使用条件に応じて、上記駆動パルスの追加及び削除の少なくとも一方を行うことを特徴とするプラズマディスプレイ。
（付記２）上記駆動制御部は、上記使用条件に応じて、上記駆動パルスのパルス形状を変更することを特徴とする付記１記載のプラズマディスプレイ。
（付記３）上記駆動制御部は、上記使用条件に応じて、上記駆動パルスのパルス幅及び位相の少なくとも一方を変更することを特徴とする付記１記載のプラズマディスプレイ。
（付記４）上記駆動制御部は、上記駆動パルスが傾斜波である場合に、上記使用条件に応じて、当該駆動パルスの傾きを変更することを特徴とする付記１記載のプラズマディスプレイ。
（付記５）上記駆動制御部は、上記使用条件に応じて、上記駆動パルスの電圧値を変更することを特徴とする付記１記載のプラズマディスプレイ。
（付記６）上記使用条件には、上記プラズマディスプレイに係る使用時間、使用温度、及び上記表示部または非表示部の各電極に印加する駆動パルスの電流値の少なくとも一つを含むことを特徴とする付記１記載のプラズマディスプレイ。
（付記７）上記使用条件には、上記プラズマディスプレイに対する電源供給時間及び上記表示部における実表示時間の少なくとも一方を含むことを特徴とする付記１記載のプラズマディスプレイ。
（付記８）上記使用条件には、上記プラズマディスプレイの実使用環境温度及び上記表示部のパネル温度の少なくとも一方を含むことを特徴とする付記１記載のプラズマディスプレイ。
（付記９）上記使用条件には、上記表示部にて表示画像を表示する表示領域の各電極に印加する駆動パルスの電流値、及び上記表示部における上記表示領域とは異なる非表示領域の各電極に印加する駆動パルスの電流値の少なくとも一方を含むことを特徴とする付記１記載のプラズマディスプレイ。
（付記１０）上記プラズマディスプレイにおける上記使用条件に係る情報を検出する検出部をさらに備えることを特徴とする付記１記載のプラズマディスプレイ。
（付記１１）上記駆動制御部は、上記駆動パルスの変更パターンとして複数種類の駆動パルスを有することを特徴とする付記１記載のプラズマディスプレイ。
（付記１２）上記駆動制御部は、複数種類の駆動パルスを記憶した記憶部と、
上記使用条件に応じて上記記憶部に記憶された複数種類の駆動パルスを選択して上記駆動部に指示する駆動パルス指示部とを備えることを特徴とする付記１記載のプラズマディスプレイ。
（付記１３）交流駆動型プラズマディスプレイであることを特徴とする付記１記載のプラズマディスプレイ。
（付記１４）複数の第１の電極と複数の第２の電極とが互いに並行に配置されるとともに、複数の第３の電極が上記第１及び第２の電極と交差するように配置された表示部を有するプラズマディスプレイの駆動方法であって、
上記プラズマディスプレイの使用条件に応じて、上記表示部の各電極に印加する駆動パルスを変更する駆動パルス変更ステップと、
上記駆動パルス変更ステップでの結果に基づいて、上記表示部の各電極に駆動パルスを印加する駆動ステップとを有し、
上記駆動パルス変更ステップにて、上記使用条件に応じて、上記駆動パルスの追加及び削除の少なくとも一方を行うことを特徴とするプラズマディスプレイの駆動方法。
（付記１５）上記駆動パルス変更ステップにて、上記使用条件に応じて、上記駆動パルスのパルス形状、パルス幅、位相、駆動パルスの傾き、及び駆動パルスの電圧値の少なくとも一つを変更することを特徴とする付記１４記載のプラズマディスプレイの駆動方法。
（付記１６）上記使用条件には、上記プラズマディスプレイに係る使用時間、使用温度、及び上記表示部の各電極に印加する駆動パルスの電流値の少なくとも一つを含むことを特徴とする付記１４記載のプラズマディスプレイの駆動方法。
（付記１７）上記プラズマディスプレイは、交流駆動型プラズマディスプレイであることを特徴とする付記１４記載のプラズマディスプレイの駆動方法。
【図面の簡単な説明】
【００６６】
【図１】本発明の実施形態によるプラズマディスプレイの構成例を示す図である。
【図２】図１に示したドライバ制御部の構成例を示す図である。
【図３】１画素である第ｉ行第ｊ列のセルＣｉｊの断面構成を示す図である。
【図４】図１に示したプラズマディスプレイの駆動回路の構成を示す図である。
【図５】画像の１フレームＦＲの構成図である。
【図６】図１に示したプラズマディスプレイの基本動作を示す波形図である。
【図７】駆動パルスを追加した場合の波形図の一例を示す図である。
【図８】駆動パルスを追加した場合の波形図の他の例を示す図である。
【図９】駆動パルスを削除した場合の波形図の一例を示す図である。
【図１０】駆動パルスのパルス形状を変更した場合の波形図の一例を示す図である。
【図１１】駆動パルスのパルス幅及び位相を変更した場合の波形図の一例を示す図である。
【図１２】駆動パルスの傾きを変更した場合の波形図の一例を示す図である。
【図１３】駆動パルスの電圧値を変更した場合の波形図の一例を示す図である。
【図１４】本実施形態におけるプラズマディスプレイでの駆動パルスの変更動作の一例を示すフローチャートである。
【図１５】本実施形態におけるプラズマディスプレイでの駆動パルスの変更動作の他の例を示すフローチャートである。
【符号の説明】
【００６７】
１  表示パネル
２  表示領域
３  非表示領域
４  Ｘ側共通ドライバ
５  Ｙ側スキャンドライバ
６  Ｙ側共通ドライバ
７  アドレスドライバ
８  ロジック部
９  輝度／電力制御部
１０  ドライバ制御部
１１  表示データ制御部
１２  検出部
【図１】
0004819315.tif 000002
【図２】
0004819315.tif 000003
【図３】
0004819315.tif 000004
【図４】
0004819315.tif 000005
【図５】
0004819315.tif 000006
【図６】
0004819315.tif 000007
【図７】
0004819315.tif 000008
【図８】
0004819315.tif 000009
【図９】
0004819315.tif 000010
【図１０】
0004819315.tif 000011
【図１１】
0004819315.tif 000012
【図１２】
0004819315.tif 000013
【図１３】
0004819315.tif 000014
【図１４】
0004819315.tif 000015
【図１５】
0004819315.tif 000016